(57)【要約】【課題】レール上のみを移動する軌道式ではなく、電源と水栓が近くにあれば、どこでも自由に移動できる小型の移動洗車機を提供することにある。【解決手段】車輪５を有する2つのフレーム片２を結合部３ａにより結合して門型のフレーム３を形成し、該フレーム３は前記車輪５により地上を移動可能とし、車両１１を前記フレーム３内に通過させて洗浄するようにし、また、前記結合部３ａの間隔を調整可能としたものである。【選択図】図１
2012081952.tif 000002
【特許請求の範囲】
【請求項１】
車輪を有する2つのフレーム片を結合部により結合して門型のフレームを形成し、該フレームは前記車輪により地上を移動可能とし、車両を前記フレーム内に通過させて洗浄するようにしたことを特徴とする移動洗車機。
【請求項２】
前記フレーム片は側壁と天板とからなり、前記側壁の下端部に前記車輪を設け、前記天板の端部を突き合わせるようにして前記結合部を形成した、
請求項１に記載の移動洗車機。
【請求項３】
前記結合部の間隔を調整可能とした、
請求項１又は２に記載の移動洗車機。
【請求項４】
前記フレームに前記車両の車種の幅に対応した目盛表示を設け、該目盛表示の選定により、前記接合部の間隔を設定するようにした、
請求項３に記載の移動洗車機。
【請求項５】
前記フレーム片に側面ブラシ、上面ブラシ及び散水器具を設け、前記フレーム片と該上面ブラシとの相対位置は該上面ブラシと前記車両との接触位置の移動に伴い変化し、前記相対位置の変化に対応させて前記散水器具の噴水方向を可変し得るようにした、
請求項１乃至４のいずれか１つに記載の移動洗車機。
【請求項６】
前記フレームに前記車両が進入する角度を感知する感知センサーを設けた、
請求項１乃至５のいずれか１つに記載の移動洗車機。
【請求項７】
前記フレームにストッパーを設け、該ストッパーにより前記フレームの移動を停止するようにした、
請求項１乃至６のいずれか１つに記載の移動洗車機。
【請求項８】
前記フレームに前記車両のワイパー部を保護する保護カバーを取り外し可能に掛止した、
請求項１乃至７のいずれか１つに記載の移動洗車機。
【請求項９】
表面に２本のレールが平行して配置され、地上を移動可能な機構を備えた台と、
前記台の表面の前記２本のレールにガイドされて移動する車輪を有する2つのフレーム片を結合部により結合して門型のフレームを形成し、該フレームは前記車輪により前記台の表面上を移動可能とし、車両を前記フレーム内に通過させて洗浄する移動洗車手段と
を有する移動洗車機。
【請求項１０】
前記２本のレールは、長手方向の所定箇所で、前記移動洗車手段の車輪が移動可能なように分離されており、当該分離された箇所を軸として前記台が前記レールと共に回転して上方に持ち上げられるように構成されている
請求項９に記載の移動洗車機。
【発明の詳細な説明】
【技術分野】
【０００１】
本発明は、自動車などの車両の洗浄に好適な小型の移動洗車機に関し、特に、敷地内のどこでも自由に移動して洗車ができる移動洗車機に関するものである。
【背景技術】
【０００２】
従来の車両用の洗車機は、ガソリンスタンドなどの敷地内に施設されたレール上のみで移動する軌道式のものである。すなわち、洗車機の門型フレームに車輪を取付け、前後方向に沿って延びる2本のレール上に車輪を載置する。洗車機をレール上に沿って移動させ、2本のレールの間に停車させた車両を洗車機が跨ぐようにして車両を洗浄するものである。
【０００３】
従って、従来の洗車機を使用するには、レールを施設するための広いスペースが必要であることと、洗車機自体が大型化し、洗車機及びその設置に高額な費用が必要となっている。
【先行技術文献】
【特許文献】
【０００４】
【特許文献１】特開平６−２９３２５０号公開特許公報
【発明の概要】
【発明が解決しようとする課題】
【０００５】
自動車ディーラー、中古車専業者、レンタカー事業者、又は整備専業者等は、業務の一環として全ての車両に対して洗車のサービスを実施している。しかし、都市部などの地代の高い場所で営業している業者においては、広いスペースが必要な従来の洗車機は整備所等の場所の一部を潰すことになり、スペース効率が悪化するため導入が困難である。
【０００６】
そのため、企業の営業要員が車両の納車時などに自ら手洗いにより洗車するか、又は洗車要員としてアルバイト、高齢者などを雇用している。しかし、猛暑、極寒時の洗車作業は肉体的、心理的にも負担が多く、社員満足、定着の観点からも軽減策が望まれる。
【０００７】
本発明はかかる事情に鑑みてなされたものであり、その目的は、レール上のみを移動する軌道式ではなく、電源と水栓が近くにあれば、どこでも自由に移動できる小型の移動洗車機を提供することにある。
【課題を解決するための手段】
【０００８】
本発明に係る移動洗車機は、車輪を有する2つのフレーム片を結合部により結合して門型のフレームを形成し、該フレームは前記車輪により地上を移動可能とし、車両を前記フレーム内に通過させて洗浄するようにしたものである。
【０００９】
好適に、前記フレーム片は側壁と天板とからなり、前記側壁の端部に前記車輪を設け、前記天板の端部を突き合わせるようにして前記結合部を形成したものである。
【００１０】
好適に、前記結合部の間隔を調整可能としたものである。
【００１１】
好適に、前記フレームに前記車両の車種の幅に対応した目盛表示を設け、該目盛表示の選定により、前記接合部の間隔を設定するようにしたものである。
【００１２】
好適に、前記フレーム片に側面ブラシ、上面ブラシ及び散水器具を設け、前記フレーム片と該上面ブラシとの相対位置は該上面ブラシと前記車両との接触位置の移動に伴い変化し、前記相対位置の変化に対応させて前記散水器具の噴水方向を可変し得るようにしたものである。
【００１３】
好適に、前記フレームに前記車両が進入する角度を感知する感知センサーを設けたものである。
【００１４】
好適に、前記フレームにストッパーを設け、該ストッパーにより前記フレームの移動を停止するようにしたものである。
好適に、前記フレームに前記車両のワイパー部を保護する保護カバーを取り外し可能に掛止したものである。
【００１５】
また、本発明の移動洗車機は、表面に２本のレールが平行して配置され、地上を移動可能な機構を備えた台と、前記台の表面の前記２本のレールにガイドされて移動する車輪を有する2つのフレーム片を結合部により結合して門型のフレームを形成し、該フレームは前記車輪により前記台の表面上を移動可能とし、車両を前記フレーム内に通過させて洗浄する移動洗車手段とを有する。
好適には、前記２本のレールは、長手方向の所定箇所で、前記移動洗車手段の車輪が移動可能なように分離されており、当該分離された箇所を軸として前記台が前記レールと共に回転して上方に持ち上げられるように構成されている。
【発明の効果】
【００１６】
本発明によれば、本移動洗車機はフレームの車輪により、レール上でなく地上を自由に移動できるので、レールを施設するスペースが不要で、限られたスペースでも導入できる。また、フレームの間隔を車種に合わせて調整可能としたので、小型の移動洗車機を提供でき且つ保管時にもコンパクトに収納することができる効果がある。
【図面の簡単な説明】
【００１７】
【図１】第1の実施形態に係る移動洗車機の側面図である。
【図２】第1の実施形態に係る移動洗車機による車両の洗浄方法を説明する正面図である。
【図３】第１の実施形態に係る移動洗車機による車両の洗浄方法を説明する説明図である。
【図４】第２の実施形態に係る移動洗車機の洗車時の側面図である。
【図５】第２の実施形態に係る移動洗車機の収納時の側面図である。
【発明を実施するための形態】
【００１８】
＜第１実施形態＞
以下、本発明の第1の実施形態に係る移動洗車機１について、図面を参照して説明する。  図１は、本発明の第１の実施形態に係る移動洗車機１の側面図、図２及び図３は、本実施形態に係る移動洗車機１による車両の洗車状態を説明する正面図及び説明図である。
【００１９】
本移動洗車機１は、2つのフレーム片２を結合した門型のフレーム３から構成されている（図２参照）。前記フレーム片２は板状の側壁２ａと該側壁２ａの上端部を壁面に直交する方向に折り曲げた天板２ｂとからなり、２つのフレーム片２の天板２ｂの端部同士を突き合わせるようにして設けた結合部３ａにより門型のフレーム３を形成している。該フレーム３の結合部３ａは、図示していないがネジ螺合などにより間隔を調整可能とし、その周囲は伸び縮みできるように蛇腹部４で覆っている。また、フレーム片２の側壁２ａの下端部２ｃにはキャスターなどの自由に方向の変わる一対の車輪５が設けられている。
【００２０】
前記フレーム３の内部には、2つのフレーム片２の天板２ｂからそれぞれ側面ブラシ６が回転可能に垂下している。側面ブラシ６は天板２ｂの側壁２ａ寄りに設けた回転支柱６ａと第１のモータ７によりその回転面が天板２ｂの面と平行方向に回転するようになっている。
【００２１】
また、同様に、２つのフレーム片２の天板２ｂからそれぞれ上面ブラシ８が回転可能に垂下している。該上面ブラシ８は駆動支柱８ａの先端に設けた回転軸８ｂの両端部側にそれぞれ取り付けられる。該駆動支柱８ａはチェーン又はベルト駆動機構で構成し、その後端をフレーム片２の天板２ｂの端部寄りに設け、第２のモータ９により駆動支柱８ａを介して回転軸８ｂを回転し、上面ブラシ８は回転面が天板２ｂの面と垂直方向に回転するようになっている。
【００２２】
また、2つのフレーム片２の天板２ｂにそれぞれ複数の散水ホース等の散水器具１０ａ、１０ｂ及び１０ｃを取り付けている。そのうちの一つの散水器具１０ａは前記側面ブラシ６に対応する位置に設け、また、他の一つの散水器具１０ｂは上面ブラシ８の駆動支柱８ａに沿わせて固定され、その先端（噴水口）を上面ブラシ８の近傍に設けている。これは、車両１１を洗車する際に前記両ブラシ６，８の回転で車両１１に疵等が付かないように、両ブラシ６，８と車両１１との接触位置に常に水が介在する状態を保つためである。
【００２３】
前記フレーム３の外部においては、一方の側壁２ａ周囲に電源コード１２及び水道ホース１３を並べて配設している（図１参照）。そして、電源コード１２の一端は前記第１、第２のモータ７，９に接続し、また、水道ホース１３の一端は前記散水器具１０ａ〜１０ｃに接読する。フレーム３から外に張り出した該電源コード１２及び水道ホース１３の他端はまとめて一つのキャスター１４に取り付ける。図示していないが、他方の側壁においても同様に電源コード及び水道ホースが配設されている。
【００２４】
また、側壁２ａ中央部にハンドル１５を取り付けてある。該ハンドル１５の回転によりフレーム３の前記結合部３ａの間隔を調整できる。すなわち、結合部３ａの間隔を調整することにより、門型のフレーム３の側壁２ａの間隔幅を洗浄する車両１１の車幅に合わせるためのものである。
【００２５】
また、側壁２ａの間隔幅に対応する目盛表示１６が前記ハンドル１５の上部に表示され、ハンドル１５の操作に応じて指針１６ａが移動するようになっている。更に、目盛表示１６の上部に車種の車幅を表示する車幅表示部１７を設け、洗浄する車両１１の車種に対し該表示部１７をガイドに、指針１６ａが目的の目盛表示１６を指すようにハンドル１５を操作することができる。
【００２６】
また、両方の側壁２ａ下方に舌片状のストッパー１８が出し入れ可能に取り付けてあり、移動洗車機１を移動するときには側壁２ａに収納している。移動後に該洗車機１を固定する場合にストッパー１８の一縁１８ａ側を引っ張り出し、他縁１８ｂ側を軸に回転させて一縁１８ａ側を地面に圧設することにより固定する。
【００２７】
また、両方の側壁２ａの前端部及び後端部に取っ手１９をそれぞれ設けており、該取っ手１９を掴んで移動洗車機１を移動するためのものである。また、洗車時に車両１１のワイパー部（図示せず）の損傷を防止するため、何時でも取り出せるようにゴム製の保護カバー２０が側壁２ａに掛止してある。
【００２８】
以上のように、本移動洗車機１はその側壁２ａ側から眺めた時に、ハンドル１５は鼻、引き出したストッパー１８は口から出した舌、取っ手１９は耳などに例えると、人の顔のように見え、洗車機ロボットとして人に親しめ好かれる愛嬌のある様々なデザインを提案しても良い。
【００２９】
次に、移動洗車機１を用いた車両１１の洗浄方法について説明する。先ず、移動洗車機１を保管場所から敷地内の適当なスペースに移動し、ハンドル１５により結合部３ａの間隔を調整し、門型フレーム３の間隔幅を洗車する車両１１の車幅に合わせ、前記ストッパー１８を引っ張り出して移動洗車機１を固定する。
【００３０】
次に、車両１１のワイパー部に保護カバー２０を装着した後、車両１１に運転手が乗車し、移動洗車機１の後方からフレーム３内に車両１１を進入させる。この時、フレーム３の天板２ｂには図示していないが車両１１の進入角度を感知する感知センサが予め設置されている。従って、車両１１の進入角度が所定値を超える場合は、車両１１が移動洗車機１の側壁２ａに接触する虞があるため、感知センサが感知して警告灯を点滅するなど警報を発するようにする。
【００３１】
なお、側壁２ａに沿ってフレーム３内の地面に予めシート又はライン（図示せず）を引くことにより、このシート又はラインを基準に車両１１を進入させれば車両１１と移動洗車機１の側壁２ａとの接触を防ぐ効果が高まる。
【００３２】
次に、電源コード１２を通じた電源の起動及び散水器具１０ａ〜１０ｃからの噴水を開始させることにより、前記第１及び第２のモータ７及び９により側面ブラシ６及び上面ブラシ８がそれぞれ回転し、且つ、散水器具１０ａ〜１０ｃから水が噴出される。なお、散水の開始・停止、両ブラシ６，８の回転の開始・停止、及び作動の緊急停止などを車両１１内において操作できるように操作リモコン（図示せず）を用意する。
【００３３】
次に、車両１１の進入に伴い、先ず回転する側面ブラシ６が車両１１の両側面に接触する。その結果、側面ブラシ６の回転支柱６ａに車両１１から外方向への圧力が加わるが、回転支柱６ａが外側に広がり圧力を逃がすように、回転支柱６ａと天板２ｂとの結合は自在継手（ユニバーサルジョイント）となっている。
【００３４】
次に、車両１１の進入に伴い、回転する上面ブラシ８が車両１１の先ず先端部に接触する。続いて、図３に示すように移動洗車機１が車両１１に相対的に矢印方向に移動し、上面ブラシ８の洗浄部分が車両１１のボンネットの上面側に移動して行く。この時、上面ブラシ８は車両１１によりその進入方向に押されるため、上面ブラシ８の駆動支柱８ａはその後端を軸に傾斜することになる。すなわち、上面ブラシ８とフレーム片２との相対位置が変化する。
【００３５】
また、散水器具１０ｂが前記駆動支柱８ａに沿って取り付けられているので、駆動支柱８ａの動きと同期して散水器具１０ｂも傾斜する。よって、散水器具１０ｂの噴水口を常に上面ブラシ８の近傍に位置させることができるので、上面ブラシ８の洗浄部分に水を確実に噴出することができ、車両１１に疵が付く虞がない。
【００３６】
最後に、車両１１が移動洗車機１を通過することにより洗浄工程は完了する。なお、車両１１に付着した水滴をエアブローで吹き飛ばす場合には、移動洗車機１の天板２ｂに予め複数のエア噴射孔（図示せず）を設け、該噴射孔からエアを吹き付け、車両１１をバックから移動洗車機１内に再度進入させることにより、車両１１の水滴を吹き飛ばすようにすれば良い。なお、その際、側面ブラシ６及び上面ブラシ８を天板２ｂ側に持ち上げ、車両１１に接触しないように退避させておいた方がなお良い。また、このエアブローの作動、停止も前記操作リモコンできるようにする。
【００３７】
以上説明したように、本実施形態に係る移動洗車機１によれば、車輪５を有する2つのフレーム片２を結合部３ａにより結合して門型のフレーム３を形成し、該フレーム３は前記車輪５により地上を移動可能とし、車両１１を前記フレーム３内に通過させて洗浄するようにしたものであるため、従来のようにレールを施設するスペースが不要で、設置費用が掛からず、限られたスペースでも容易に導入することができる。
【００３８】
また、本実施形態に係る移動洗車機１によれば、前記フレーム片２は側壁２ａと天板２ｂとからなり、前記側壁２ａの下端部２ｃに前記車輪５を設け、前記天板２ｂの端部を突き合わせるようにして前記結合部３ａを形成し、前記結合部３ａの間隔を調整可能としたものであるため、車両１１の車種に合わせて洗車機１の間隔幅を調整でき、小型で且つ低価格の移動洗車機１を提供でき、移動洗車機１自体の保管スペースも少なくて済む。
【００３９】
また、本実施形態に係る移動洗車機１によれば、前記フレーム３に前記車両１１の車種の幅に対応した目盛表示１６を設け、該目盛表示１６の選定により、前記接合部３ａの間隔を設定するようにしたものであるため、フレーム３の間隔を車両の車種幅に合わせる調整が容易である。
【００４０】
また、本実施形態に係る移動洗車機１によれば、前記フレーム片２に側面ブラシ６、上面ブラシ８及び散水器具１０ａ〜１０ｃを設け、前記フレーム片２と該上面ブラシ８との相対位置は該上面ブラシ８と前記車両１１との接触位置の移動に伴い変化し、前記相対位置の変化に対応させて前記散水器具１０ｂの噴水方向を可変し得るようにしたものであるため、上面ブラシ８と車両１１との接触位置に常に水を噴出することができ、車両１１に疵が付く虞がない。
【００４１】
また、本実施形態に係る移動洗車機１によれば、前記接合部３ａを分離することも可能なので、２つのフレーム片２を別々に保管したり、又は、上面ブラシ８も折りたたむようにすることで、2つのフレーム片２を一部重ねて保管するなど、更にコンパクトに収納することもできる。
【００４２】
本発明は上述した実施形態に限定されるものではなく、種々のバリエーションを含んでいる。
【００４３】
例えば上述の実施形態では、上面ブラシ８に対応する散水器具１０ｂを駆動支柱８ａに沿わせて配設し、該駆動支柱８ａの動きに同期させ追随するようにしたもので説明した。その代わりに、駆動支柱８ａの傾斜に伴う後端部の回動角度をセンサーにより検出して、天板２ｂに設けた散水器具の噴水口の噴出方向を検出結果に基づき常に上面ブラシ８に向けるように駆動制御しても良い。
【００４４】
また、上述の実施形態では、各フレーム片２の天板２ｂに３つの散水器具１０ａ〜１０ｃを設けたものを示したが、更に散水器具の数を増やし、側壁２ａにも設置するようにしても良い。
【００４５】
また、上述の実施形態では、車両１１の洗浄方法において、移動洗車機１をストッパー１８で固定し、車両１１を移動洗車機１内に進入させる方法を示したが、逆に、車両１１を固定し、移動洗車機１を移動するようにしても良いことは勿論である。
【００４６】
＜第２実施形態＞
図４は、第２の実施形態に係る移動洗車機１０１の洗車時の側面図である。図５は、第２の実施形態に係る移動洗車機１０１の収納時の側面図である。
図４に示すように、移動洗車機１０１の台３５ａ，３５ｂ，３５ｃは洗車時に一つの表面を形成している。
台３５ａ，３５ｂ，３５ｃの表面には、それぞれレール４２ａ，４２ｂ，４２ｃが形成されており、図４に示す状態では、これらが一本のレールを形成し、移動洗車機１の２つの車輪５の移動をガイドする。
また、移動洗車機１の車輪５と対向して位置する車輪の移動をガイドするレール４３ａ，４３ｂ，４３ｃが、レール４２ａ，４２ｂ，４２ｃと平行して設けられている。
レール４２ａ，４２ｂ，４２ｃおよびレール４３ａ，４３ｂ，４３ｃにガイドされるように、第１実施形態で説明した移動洗車機１の車輪５が載せられる。
【００４７】
台３５ａ，３５ｃは、図５に示すように、収納時に、レール４２ａ，４２ｃと一体となって、接合部の回転軸を中心に回転し、上方に持ち上げられる。
なお、台３５ａ，３５ｃの裏面には、洗車時に地上面と接合する接地部５３ａ，５３ｃが設けられている。接地部５３ａ，５３ｃは、硬質ゴムなどで形成される。
台３５ｂには、車輪３３が設けられており、収納時に地上を移動可能である。
移動洗車機１０１は、洗車時に、台３５ａ，３５ｂ，３５ｃに載せられた車に対して、移動洗車機１がレールに沿って移動して洗車を行う。
【００４８】
第２実施形態によれば、収納時に移動洗車機１０１の全体スペースを小さくでき、優れた実用性がある。
【符号の説明】
【００４９】
１…移動洗車機、２…フレーム片、２ａ…側壁、２ｂ…天板、２ｃ…下端部、３…門型のフレーム、３ａ…結合部、５…車輪、６…側面ブラシ、８…上面ブラシ、１０ａ、１０ｂ、１０ｃ…散水器具、１１…車両、１８…ストッパー、２０…保護カバー、４２ａ，４２ｂ，４２ｃ,４３ａ，４３ｂ，４３ｃ…レール、３５ａ，３５ｂ，３５ｃ…台、５３ａ，５３ｃ…接地部
【図１】
2012081952.tif 000003
【図２】
2012081952.tif 000004
【図３】
2012081952.tif 000005
【図４】
2012081952.tif 000006
【図５】
2012081952.tif 000007